【手続補正書】
【提出日】平成16年10月8日(2004.10.8)
【手続補正１】
【補正対象書類名】明細書
【補正対象項目名】全文
【補正方法】変更
【補正の内容】
【書類名】      明細書
【発明の名称】  プラズマディスプレイ装置の駆動方法
【特許請求の範囲】
【請求項１】  電源投入等の初期動作時に行うプラズマディスプレイ装置の駆動方法であって、
前記プラズマディスプレイ装置は、
画像情報に基づく表示を行うプラズマディスプレイパネルと、
前記プラズマディスプレイパネルの各行に対応して設けられ、選択／非選択を指示するスキャン情報を格納するスキャン情報記憶手段と、
活性状態時に、前記スキャン情報に基づき、前記プラズマディスプレイパネルの書き込み対象の行を選択する表示行選択手段と、を備え、
（ａ）前記表示行選択手段を非活性状態にし、すべてが非選択を指示する情報を前記スキャン情報として前記スキャン情報記憶手段に書き込むステップと、
前記ステップ（ａ）の後に、
（ｅ１）所定のスキャン情報を前記スキャン情報記憶手段に与え、表示行単位に順次前記表示行選択手段を活性状態にして、通常の消去動作、書き込み動作及び表示動作を順次実行させるステップと、
を備えるプラズマディスプレイ装置の駆動方法。
【請求項２】  電源投入等の初期動作時に行うプラズマディスプレイ装置の駆動方法であって、
前記プラズマディスプレイ装置は、
画像情報に基づく表示を行うプラズマディスプレイパネルと、
前記プラズマディスプレイパネルに書き込む一行分の書き込み用画像情報を記憶する書き込み用画像情報記憶手段と、
活性状態時に、前記書き込み用画像情報を前記プラズマディスプレイパネルに書き込む画像情報書き込み手段と、
を備え、
（ｅ２）前記画像情報を表示行単位に順次前記書き込み用画像情報記憶手段に与え、前記画像情報書き込み手段を活性状態にして、通常の消去動作、書き込み動作及び表示動作を順次実行させるステップ、
を備えるプラズマディスプレイ装置の駆動方法。
【請求項３】  電源投入等の初期動作時に行うプラズマディスプレイ装置の駆動方法であって、
前記プラズマディスプレイ装置は、
画像情報に基づく表示を行うプラズマディスプレイパネルと、
映像信号を受け、前記映像信号に基づく画像信号を少なくとも前記プラズマディスプレイパネル一画像分格納可能な一時記憶手段と、
前記プラズマディスプレイパネルに書き込む一行分の書き込み用画像情報を記憶する書き込み用画像情報記憶手段と、
活性状態時に、前記書き込み用画像情報を前記プラズマディスプレイパネルに書き込む画像情報書き込み手段と、
を備え、
（ｂ）前記映像信号に基づく画像情報を前記一時記憶手段に記憶させるステップと、
前記ステップ（ｂ）の後に、
（ｅ３）前記一時記憶手段に記憶された画像情報を表示行単位に順次前記書き込み用画像情報記憶手段に与え、前記画像情報書き込み手段を活性状態にして、通常の消去動作、書き込み動作及び表示動作を順次実行させるステップと、
を備えるプラズマディスプレイ装置の駆動方法。
【請求項４】  電源投入等の初期動作時に行うプラズマディスプレイ装置の駆動方法であって、
前記プラズマディスプレイ装置は、
画像情報に基づく表示を行うプラズマディスプレイパネルと、
前記プラズマディスプレイパネルの各行に対応して設けられ、選択／非選択を指示するスキャン情報を格納するスキャン情報記憶手段と、
活性状態時に、前記スキャン情報に基づき、前記プラズマディスプレイパネルの書き込み対象の行を選択する表示行選択手段と、
前記プラズマディスプレイパネルに書き込む一行分の書き込み用画像情報を記憶する書き込み用画像情報記憶手段と、
活性状態時に、前記書き込み用画像情報を前記プラズマディスプレイパネルに書き込む画像情報書き込み手段と、
を備え、
（ａ）前記表示行選択手段を非活性状態にし、すべてが非選択を指示する情報を前記スキャン情報として前記スキャン情報記憶手段に書き込むステップと、
前記ステップ（ａ）の後に、
（ｅ４）所定のスキャン情報を前記スキャン情報記憶手段に与え、前記画像情報を表示行単位に順次前記書き込み用画像情報記憶手段に与え、前記表示行選択手段及び前記画像情報書き込み手段を活性状態にして、通常の消去動作、書き込み動作及び表示動作を順次実行させるステップと、
を備えるプラズマディスプレイ装置の駆動方法。
【請求項５】 電源投入等の初期動作時に行うプラズマディスプレイ装置の駆動方法であって、
前記プラズマディスプレイ装置は、
画像情報に基づく表示を行うプラズマディスプレイパネルと、
映像信号を受け、前記映像信号に基づく画像信号を少なくとも前記プラズマディスプレイパネル一画像分格納可能な一時記憶手段と、
前記プラズマディスプレイパネルの各行に対応して設けられ、選択／非選択を指示するスキャン情報を格納するスキャン情報記憶手段と、
活性状態時に、前記スキャン情報に基づき、前記プラズマディスプレイパネルの書き込み対象の行を選択する表示行選択手段と、
前記プラズマディスプレイパネルに書き込む一行分の書き込み用画像情報を記憶する書き込み用画像情報記憶手段と、
活性状態時に、前記書き込み用画像情報を前記プラズマディスプレイパネルに書き込む画像情報書き込み手段と、
を備え、
（ａ）前記表示行選択手段を非活性状態にし、すべてが非選択を指示する情報を前記スキャン情報として前記スキャン情報記憶手段に書き込むステップと、
（ｂ）前記映像信号に基づく画像情報を前記一時記憶手段に記憶させるステップと、
前記ステップ（ａ）及び（ｂ）の後に、
（ｅ５）所定のスキャン情報を前記スキャン情報記憶手段に与え、前記一時記憶手段に記憶された画像情報を表示行単位に順次前記書き込み用画像情報記憶手段に与え、前記表示行選択手段及び前記画像情報書き込み手段を活性状態にして、通常の消去動作、書き込み動作及び表示動作を順次実行させるステップと、
を備えるプラズマディスプレイ装置の駆動方法。
【請求項６】 請求項１に記載のプラズマディスプレイ装置の駆動方法であって、
前記プラズマディスプレイ装置は、
前記プラズマディスプレイパネルに書き込む一行分の書き込み用画像情報を記憶する書き込み用画像情報記憶手段と、
活性状態時に、前記書き込み用画像情報を前記プラズマディスプレイパネルに書き込む画像情報書き込み手段と、
を更に備え、
前記ステップ（ａ）の後で、かつステップ（ｅ１）より前に、
（ｃ）階調０の画像を指示する一行分の画像情報を前記書き込み用画像情報として前記書き込み用画像記憶手段に与え、前記画像情報書き込み手段を活性状態にして前記書き込み用画像情報を前記プラズマディスプレイパネルに書き込むステップ、
を更に備えたことを特徴とするプラズマディスプレイ装置の駆動方法。
【請求項７】 請求項２又は請求項３に記載のプラズマディスプレイ装置の駆動方法であって、
前記プラズマディスプレイ装置は、
前記ステップ（ｅ２）又はステップ（ｅ３）より前に、
（ｃ）階調０の画像を指示する一行分の画像情報を前記書き込み用画像情報として前記書き込み用画像記憶手段に与え、前記画像情報書き込み手段を活性状態にして前記書き込み用画像情報を前記プラズマディスプレイパネルに書き込むステップ、
を更に備えたことを特徴とするプラズマディスプレイ装置の駆動方法。
【請求項８】 請求項４又は請求項５に記載のプラズマディスプレイ装置の駆動方法であって、
前記プラズマディスプレイ装置は、
前記ステップ（ｅ４）又はステップ（ｅ５）より前に、
（ｃ）階調０の画像を指示する一行分の画像情報を前記書き込み用画像情報として前記書き込み用画像記憶手段に与え、前記画像情報書き込み手段を活性状態にして前記書き込み用画像情報を前記プラズマディスプレイパネルに書き込むステップ、
を更に備えたことを特徴とするプラズマディスプレイ装置の駆動方法。
【請求項９】 請求項１に記載のプラズマディスプレイ装置の駆動方法であって、
前記プラズマディスプレイ装置は、
前記ステップ（ｅ１）より前に、
（ｄ１）前記消去動作、前記書き込み動作及び前記表示動作における前記表示行選択手段に付与する高電圧を立ち上げるステップ、
を更に備えたことを特徴とするプラズマディスプレイ装置の駆動方法。
【請求項１０】 請求項２又は請求項３に記載のプラズマディスプレイ装置の駆動方法であって、
前記プラズマディスプレイ装置は、
前記ステップ（ｅ２）又はステップ（ｅ３）より前に、
（ｄ２）前記消去動作、前記書き込み動作及び前記表示動作における前記画像情報書き込み手段に付与する高電圧を立ち上げるステップ、
を更に備えたことを特徴とするプラズマディスプレイ装置の駆動方法。
【請求項１１】 請求項４又は請求項５に記載のプラズマディスプレイ装置の駆動方法であって、
前記プラズマディスプレイ装置は、
前記ステップ（ｅ４）又はステップ（ｅ５）より前に、
（ｄ３）前記消去動作、前記書き込み動作及び前記表示動作における前記画像情報書き込み手段に付与する高電圧を立ち上げるステップ、
を更に備えたことを特徴とするプラズマディスプレイ装置の駆動方法。
【請求項１２】 請求項３、請求項５、請求項７、請求項８、請求項１０又は請求項１１のいずれかに記載のプラズマディスプレイ装置の駆動方法であって、
前記ステップ（ｂ）は、
（ｂ１）前記映像信号の同期信号の安定入力を確認するステップ、
（ｂ２）前記ステップ（ｂ１）で前記同期信号の安定入力が確認されると前記映像信号に基づく画像情報を前記一時記憶手段に記憶させるステップ、
であることを特徴とするプラズマディスプレイ装置の駆動方法。
【発明の詳細な説明】
【０００１】
【発明の属する技術分野】
この発明はプラズマディスプレイ装置の駆動方法に関し、特にその初期化時における駆動方法に関する。
【０００２】
【従来の技術】
プラズマディスプレイパネル（ＰＤＰ）を有する従来のＰＤＰ装置では、電源投入時等の初期化時において、映像信号を一時的に記憶する記憶素子、書込ドライバに接続される書込ドライバ用シフトレジスタ及びスキャンドライバに接続されるスキャンドライバ用シフトレジスタ等の記憶部に対する適切な初期動作を行っていなかった。
【０００３】
【発明が解決しようとする課題】
このため、従来のＰＤＰ装置では、電源投入時等の初期化時において、初期化開始後、実際に入力される映像信号に基づく１画面分の画像がＰＤＰ上に表示されるまでの期間は、上記した記憶部の内容は不安定となり、上記記憶部の不定内容が無意味な画像としてＰＤＰ上に表示されてしまうという問題点があった。
【０００４】
この発明は上記問題点を解決するためになされたもので、電源投入時等の初期動作時における無意味な画像の表示を確実に防止することができるＰＤＰ装置の駆動方法を得ることを目的とする。
【０００５】
【課題を解決するための手段】
この発明にかかる請求項１記載のプラズマディスプレイ装置の駆動方法は、電源投入等の初期動作時に行うプラズマディスプレイ装置の駆動方法であって、前記プラズマディスプレイ装置は、画像情報に基づく表示を行うプラズマディスプレイパネルと、前記プラズマディスプレイパネルの各行に対応して設けられ、選択／非選択を指示するスキャン情報を格納するスキャン情報記憶手段と、活性状態時に、前記スキャン情報に基づき、前記プラズマディスプレイパネルの書き込み対象の行を選択する表示行選択手段と、を備え、
（ａ）前記表示行選択手段を非活性状態にし、すべてが非選択を指示する情報を前記スキャン情報として前記スキャン情報記憶手段に書き込むステップと、
前記ステップ（ａ）の後に、
（ｅ１）所定のスキャン情報を前記スキャン情報記憶手段に与え、表示行単位に順次前記表示行選択手段を活性状態にして、通常の消去動作、書き込み動作及び表示動作を順次実行させるステップと、を備える。
【０００６】
請求項２記載のプラズマディスプレイ装置の駆動方法は、電源投入等の初期動作時に行うプラズマディスプレイ装置の駆動方法であって、前記プラズマディスプレイ装置は、画像情報に基づく表示を行うプラズマディスプレイパネルと、前記プラズマディスプレイパネルに書き込む一行分の書き込み用画像情報を記憶する書き込み用画像情報記憶手段と、活性状態時に、前記書き込み用画像情報を前記プラズマディスプレイパネルに書き込む画像情報書き込み手段と、を備え、
（ｅ２）前記画像情報を表示行単位に順次前記書き込み用画像情報記憶手段に与え、前記画像情報書き込み手段を活性状態にして、通常の消去動作、書き込み動作及び表示動作を順次実行させるステップ、を備える。
【０００７】
請求項３記載のプラズマディスプレイ装置の駆動方法は、電源投入等の初期動作時に行うプラズマディスプレイ装置の駆動方法であって、前記プラズマディスプレイ装置は、画像情報に基づく表示を行うプラズマディスプレイパネルと、映像信号を受け、前記映像信号に基づく画像信号を少なくとも前記プラズマディスプレイパネル一画像分格納可能な一時記憶手段と、前記プラズマディスプレイパネルに書き込む一行分の書き込み用画像情報を記憶する書き込み用画像情報記憶手段と、活性状態時に、前記書き込み用画像情報を前記プラズマディスプレイパネルに書き込む画像情報書き込み手段と、
を備え、
（ｂ）前記映像信号に基づく画像情報を前記一時記憶手段に記憶させるステップと、
前記ステップ（ｂ）の後に、
（ｅ３）前記一時記憶手段に記憶された画像情報を表示行単位に順次前記書き込み用画像情報記憶手段に与え、前記画像情報書き込み手段を活性状態にして、通常の消去動作、書き込み動作及び表示動作を順次実行させるステップと、を備える。
【０００８】
請求項４記載のプラズマディスプレイ装置の駆動方法は、電源投入等の初期動作時に行うプラズマディスプレイ装置の駆動方法であって、前記プラズマディスプレイ装置は、画像情報に基づく表示を行うプラズマディスプレイパネルと、前記プラズマディスプレイパネルの各行に対応して設けられ、選択／非選択を指示するスキャン情報を格納するスキャン情報記憶手段と、活性状態時に、前記スキャン情報に基づき、前記プラズマディスプレイパネルの書き込み対象の行を選択する表示行選択手段と、前記プラズマディスプレイパネルに書き込む一行分の書き込み用画像情報を記憶する書き込み用画像情報記憶手段と、活性状態時に、前記書き込み用画像情報を前記プラズマディスプレイパネルに書き込む画像情報書き込み手段と、を備え、
（ａ）前記表示行選択手段を非活性状態にし、すべてが非選択を指示する情報を前記スキャン情報として前記スキャン情報記憶手段に書き込むステップと、
前記ステップ（ａ）の後に、
（ｅ４）所定のスキャン情報を前記スキャン情報記憶手段に与え、前記画像情報を表示行単位に順次前記書き込み用画像情報記憶手段に与え、前記表示行選択手段及び前記画像情報書き込み手段を活性状態にして、通常の消去動作、書き込み動作及び表示動作を順次実行させるステップと、を備える。
【０００９】
請求項５記載のプラズマディスプレイ装置の駆動方法は、電源投入等の初期動作時に行うプラズマディスプレイ装置の駆動方法であって、前記プラズマディスプレイ装置は、画像情報に基づく表示を行うプラズマディスプレイパネルと、映像信号を受け、前記映像信号に基づく画像信号を少なくとも前記プラズマディスプレイパネル一画像分格納可能な一時記憶手段と、前記プラズマディスプレイパネルの各行に対応して設けられ、選択／非選択を指示するスキャン情報を格納するスキャン情報記憶手段と、活性状態時に、前記スキャン情報に基づき、前記プラズマディスプレイパネルの書き込み対象の行を選択する表示行選択手段と、前記プラズマディスプレイパネルに書き込む一行分の書き込み用画像情報を記憶する書き込み用画像情報記憶手段と、活性状態時に、前記書き込み用画像情報を前記プラズマディスプレイパネルに書き込む画像情報書き込み手段と、を備え、
（ａ）前記表示行選択手段を非活性状態にし、すべてが非選択を指示する情報を前記スキャン情報として前記スキャン情報記憶手段に書き込むステップと、
（ｂ）前記映像信号に基づく画像情報を前記一時記憶手段に記憶させるステップと、
前記ステップ（ａ）及び（ｂ）の後に、
（ｅ５）所定のスキャン情報を前記スキャン情報記憶手段に与え、前記一時記憶手段に記憶された画像情報を表示行単位に順次前記書き込み用画像情報記憶手段に与え、前記表示行選択手段及び前記画像情報書き込み手段を活性状態にして、通常の消去動作、書き込み動作及び表示動作を順次実行させるステップと、を備える
【００１０】
請求項６記載のプラズマディスプレイ装置の駆動方法は、請求項１に記載のプラズマディスプレイ装置の駆動方法であって、前記プラズマディスプレイ装置は、前記プラズマディスプレイパネルに書き込む一行分の書き込み用画像情報を記憶する書き込み用画像情報記憶手段と、活性状態時に、前記書き込み用画像情報を前記プラズマディスプレイパネルに書き込む画像情報書き込み手段と、を更に備え、
前記ステップ（ａ）の後で、かつステップ（ｅ１）より前に、
（ｃ）階調０の画像を指示する一行分の画像情報を前記書き込み用画像情報として前記書き込み用画像記憶手段に与え、前記画像情報書き込み手段を活性状態にして前記書き込み用画像情報を前記プラズマディスプレイパネルに書き込むステップ、を更に備える。
【００１１】
請求項７記載のプラズマディスプレイ装置の駆動方法は、請求項２又は請求項３に記載のプラズマディスプレイ装置の駆動方法であって、前記プラズマディスプレイ装置は、前記ステップ（ｅ２）又はステップ（ｅ３）より前に、
（ｃ）階調０の画像を指示する一行分の画像情報を前記書き込み用画像情報として前記書き込み用画像記憶手段に与え、前記画像情報書き込み手段を活性状態にして前記書き込み用画像情報を前記プラズマディスプレイパネルに書き込むステップ、を更に備える。
【００１２】
請求項８記載のプラズマディスプレイ装置の駆動方法は、請求項４又は請求項５に記載のプラズマディスプレイ装置の駆動方法であって、前記プラズマディスプレイ装置は、前記ステップ（ｅ４）又はステップ（ｅ５）より前に、
（ｃ）階調０の画像を指示する一行分の画像情報を前記書き込み用画像情報として前記書き込み用画像記憶手段に与え、前記画像情報書き込み手段を活性状態にして前記書き込み用画像情報を前記プラズマディスプレイパネルに書き込むステップ、を更に備える。
【００１３】
請求項９記載のプラズマディスプレイ装置の駆動方法は、請求項１に記載のプラズマディスプレイ装置の駆動方法であって、前記プラズマディスプレイ装置は、前記ステップ（ｅ１）より前に、
（ｄ１）前記消去動作、前記書き込み動作及び前記表示動作における前記表示行選択手段に付与する高電圧を立ち上げるステップ、を更に備える。
【００１４】
請求項１０記載のプラズマディスプレイ装置の駆動方法は、請求項２又は請求項３に記載のプラズマディスプレイ装置の駆動方法であって、前記プラズマディスプレイ装置は、前記ステップ（ｅ２）又はステップ（ｅ３）より前に、
（ｄ２）前記消去動作、前記書き込み動作及び前記表示動作における前記画像情報書き込み手段に付与する高電圧を立ち上げるステップ、を更に備える。
【００１５】
請求項１１記載のプラズマディスプレイ装置の駆動方法は、請求項４又は請求項５に記載のプラズマディスプレイ装置の駆動方法であって、前記プラズマディスプレイ装置は、前記ステップ（ｅ４）又はステップ（ｅ５）より前に、
（ｄ３）前記消去動作、前記書き込み動作及び前記表示動作における前記画像情報書き込み手段に付与する高電圧を立ち上げるステップ、を更に備える。
【００１６】
請求項１２記載のプラズマディスプレイ装置の駆動方法は、請求項３、請求項５、請求項７、請求項８、請求項１０又は請求項１１のいずれかに記載のプラズマディスプレイ装置の駆動方法であって、前記ステップ（ｂ）は、
（ｂ１）前記映像信号の同期信号の安定入力を確認するステップ、
（ｂ２）前記ステップ（ｂ１）で前記同期信号の安定入力が確認されると前記映像信号に基づく画像情報を前記一時記憶手段に記憶させるステップ、であることを特徴とする。
【００１７】
【発明の実施の形態】
＜前提となるＰＤＰ装置＞
図１はこの発明の実施の形態であるＰＤＰ装置の初期化時の駆動方法に用いられるＰＤＰ装置の構成を示すブロック図である。
【００１８】
同図に示すように、ＰＤＰ１は表示動作時に複数の行に格納された画像情報に基づく表示を行う。
【００１９】
ＰＤＰ１には書込ドライバ２及びスキャンドライバ４が接続される。書込ドライバ２は高圧電源７より高電圧が与えられ、制御回路１０の駆動信号出力部１７の駆動信号によって制御され、書込ドライバ用シフトレジスタ３に格納された一表示行分の書き込み用画像情報をスキャンドライバ４のスキャンラインが活性状態のＰＤＰ１の行に書き込む。
【００２０】
スキャンドライバ４は高圧電源７より高電圧が与えられ、制御回路１０の駆動信号出力部１７の駆動信号によって制御され、スキャンドライバ用シフトレジスタ５に格納されたスキャン情報に基づき、ＰＤＰ１の表示行に対応して設けられた複数のスキャンラインを選択的に活性状態にする。
【００２１】
制御回路１０は、リセット回路１２、同期信号制御部１３、初期動作制御部１４、クロック発振部１５、シーケンス制御部１６及び駆動信号出力部１７から構成され、制御用低圧電源１１より低電圧を与えられる。
【００２２】
制御用低圧電源１１から電源投入とともに低電圧が制御回路１０に印加される。リセット回路１２は制御用低圧電源１１から低電圧が与えられると所定の時定数で制御系リセットＣＲＳＴを“Ｌ”から“Ｈ”に立ちあげる。同期信号制御部１３、初期動作制御部１４及びシーケンス制御部１６は制御系リセットＣＲＳＴが“Ｈ”のとき活性状態となる。
【００２３】
クロック発振部１５は映像信号ＳＶの同期信号ＳＹＮＣを受け、同期信号ＳＹＮＣに同期して制御系クロックＣＬＫを同期信号制御部１３、初期動作制御部１４、シーケンス制御部１６及び駆動信号出力部１７に与える。同期信号制御部１３、初期動作制御部１４、シーケンス制御部１６及び駆動信号出力部１７は活性状態時に制御系クロックＣＬＫに同期して所定の動作を実行する。
【００２４】
同期信号制御部１３は同期信号ＳＹＮＣを受け、活性状態時に同期信号ＳＹＮＣのノイズ除去処理、無効処理（不必要な同期信号の入力時）を行った後、シーケンス制御部１６に出力する。
【００２５】
初期動作制御部１４は活性状態時に、シーケンス制御部１６に制御信号を与えることにより初期動作を制御する。例えば、同期信号ＳＹＮＣに基づき映像信号ＳＶの記憶素子６への初期書き込み動作を指示する制御信号をシーケンス制御部１６に与える。
【００２６】
また、初期動作制御部１４は、駆動系リセットＤＲＳＴを駆動信号出力部１７に与え駆動信号出力部１７の活性／非活性を制御する。
【００２７】
シーケンス制御部１６は、同期信号制御部１３を介して得られる同期信号ＳＹＮＣに同期して、書き込み用クロックＷＴ、ゲート信号ＢＬＫ、スキャンデータＸＤ及びスキャン用クロックＸＴを出力し、記憶素子６に制御信号を出力し、駆動信号出力部１７に制御信号を出力することより、初期動作制御部１４の制御信号に基づく初期動作及び通常の全般的動作を制御する。
【００２８】
また、シーケンス制御部１６は初期動作制御部１４からの制御信号に基づき、消去、書き込み及び維持期間（表示期間）における高圧電源７に関する電圧条件設定を行い、初期動作制御部１４からの初期動作終了信号に基づき、高圧電源７の立ち上がりの開始を指示する制御信号を高圧電源７に出力するとともに、高圧電源７からの立ち上がり確認信号を受ける。
【００２９】
駆動信号出力部１７は、駆動系リセットＤＲＳＴによって活性／非活性が制御され、活性状態時にシーケンス制御部１６からの制御信号に基づき書込ドライバ２あるいはスキャンドライバ４を制御する。
【００３０】
記憶素子６は映像信号ＳＶを少なくともＰＤＰ１の１フレーム分を一時的に格納し、シーケンス制御部１６の制御信号に基づき格納した画像情報を出力する。
【００３１】
ＡＮＤゲートＧ１は記憶素子６からの画像情報とゲート信号ＢＬＫとを受け、ゲート信号ＢＬＫが“Ｌ”のとき“０”（黒色，階調０）の画像情報を、“Ｈ”のとき記憶素子６から得た画像情報を書込ドライバ用シフトレジスタ３に出力する。
【００３２】
書込ドライバ用シフトレジスタ３は、書き込み用クロックＷＴに同期してＡＮＤゲートＧ１の出力より得られる画像情報を順次シフト入力して、書き込み用画像情報を格納する。
【００３３】
スキャンドライバ用シフトレジスタ５はスキャンデータＸＤ及びスキャン用クロックＸＴを受け、スキャンデータＸＤをスキャン用クロックＸＴによってシフト入力しながら、ＰＤＰ１の複数の表示行に対応するスキャン情報として格納する。
【００３４】
＜駆動方法＞
図２及び図３はそれぞれこの発明の実施の形態であるＰＤＰ装置の初期化時の駆動方法を示すフローチャート及びタイミング図である。以下、図２及び図３を参照して実施の形態の駆動方法を説明する。なお、図３において、便宜上、初期動作時と通常動作時とで同期信号ＳＹＮＣパルス発生間隔が異なって図示されているが、実際には初期動作時と通常動作時とにおける同期信号ＳＹＮＣのパルス発生間隔は等しい。
【００３５】
まず、ステップＳ１で制御用低圧電源１１が投入され、低電圧が制御回路１０に供給される。
【００３６】
そして、ステップＳ２で、リセット回路１２から出力される制御系リセットＣＲＳＴが“Ｌ”から“Ｈ”に立ち上がり（図３参照）、リセット状態が解除され同期信号制御部１３、初期動作制御部１４及びシーケンス制御部１６が活性状態となる。
【００３７】
その後、ステップＳ３で、初期動作制御部１４の制御信号に基づくシーケンス制御部１６の制御下で、高圧電源７から高電圧の消去、書き込み及び維持期間それぞれにおける電圧設定条件、ＰＤＰ１が動作するモード（周波数等）、サブフィールドの数，順序等の種々の条件設定が行われる。
【００３８】
そして、ステップＳ４で、同期信号ＳＹＮＣの確認処理がなされ、同期信号ＳＹＮＣが未入力の場合、あるいは不安定な場合はステップＳ４から移行せず、同期信号ＳＹＮＣの安定した入力が確認されるとはじめてステップＳ５以降の処理に移行する。
【００３９】
ステップＳ５において、シーケンス制御部１６はスキャンデータＸＤを“Ｌ”に固定して、スキャン用クロックＸＴを所定回数発生することにより、スキャンドライバ用シフトレジスタ５に“Ｌ”の不活性データを順次シフト入力してスキャン情報をすべて“Ｌ”にする。
【００４０】
ステップＳ６において、シーケンス制御部１６はゲート信号ＢＬＫを“Ｌ”固定して、書き込み用クロックＷＴを所定回数発生することにより、ＡＮＤゲートＧ１から“Ｌ”（階調０）の画像情報を書込ドライバ用シフトレジスタ３に順次シフト入力することにより、書込ドライバ用シフトレジスタ３に格納される書き込み用画像情報をすべて階調０を指示する画像情報に設定する。
【００４１】
ステップＳ７において、シーケンス制御部１６の制御下で、同期信号ＳＹＮＣに同期して映像信号ＳＶに基づく画像情報を記憶素子６に少なくともＰＤＰ１の１フレーム分記憶させる。
【００４２】
ステップＳ７はステップＳ４で同期信号ＳＹＮＣの安定入力が確認された後に実行されるため、同期信号ＳＹＮＣの安定入力時において映像信号ＳＶに基づく画像情報を記憶素子６に記憶させることにより、映像信号ＳＶに基づく正確な画像情報を記憶素子６に記憶させることができる。なお、図３の例では４フレーム分の映像信号ＳＶに基づく画像情報を記憶素子６が記憶することになる。
【００４３】
これらステップＳ５〜Ｓ７の処理は、処理手順は不同であり、並列に実行することも可能である。
【００４４】
ステップＳ５〜Ｓ７の処理が終了すると、ステップＳ８で、シーケンス制御部１６は初期動作制御部１４の初期化終了信号をトリガとして高圧電源７の立ち上げを指示する制御信号を高圧電源７に出力し、高圧電源７から高電圧が立ち上がっているか否かを確認し、立ち上がりが確認されるとステップＳ９以降の処理に移行する。
【００４５】
ステップＳ９で、初期動作後に行う通常のシーケンス動作を開始する。まず、ゲート信号ＢＬＫが“Ｈ”となり、記憶素子６から画像情報が書込ドライバ用シフトレジスタ３にシフト入力することが可能となる。
【００４６】
次に、ステップＳ１０で駆動信号出力部１７はシーケンス制御部１６の制御信号に基づき駆動信号の出力準備（出力波形の設定等）を完了する。
【００４７】
そして、ステップＳ１１で、初期動作制御部１４は活性状態を指示する駆動系リセットＤＲＳＴを駆動信号出力部１７に出力して駆動信号出力部１７を活性状態にする。活性状態になった駆動信号出力部１７は、書込ドライバ２及びスキャンドライバ４に駆動信号を与えることにより、書込ドライバ２及びスキャンドライバ４を駆動させはじめて消去動作及びこれに続く書き込み動作を実行させる。この際、ステップＳ３で設定された電圧設定条件に基づき、高圧電源７から書込ドライバ２及びスキャンドライバ４等に高電圧が与えられ、消去動作及び書き込み動作がそれぞれ行われる。
【００４８】
このとき、スキャンドライバ用シフトレジスタ５のスキャン情報が全て不活性データに設定されているため、通常のシーケンス動作時の“Ｈ”の正規のスキャンデータＸＤがシフト入力されるまでは、スキャンラインが誤って活性状態になることにより誤った書き込み処理が行われることはない。したがって、下記に述べる不具合は生じることはない。
【００４９】
消去動作後の書き込み時に、１度（非発光状態ではなく）発光状態の画像情報をＰＤＰ１に書き込んでしまうと、次の消去動作時に消去パルスと呼ばれる高電圧（約３００Ｖ）が対向電極にパルス入力しないと非発光状態にならない。したがって、正規のスキャンデータ入力以前にスキャンドライバ用シフトレジスタ５のいずれかに“Ｈ”が誤って記憶されていれば、書込ドライバ２は、書込ドライバ用シフトレジスタ３に書き込まれている書き込み用画像情報（偽画像情報）を、スキャンドライバ４が誤って“Ｈ”にしたスキャンライン（誤り書き込みライン）に対応する行に書き込んでしまう。その後、正規の書き込み用画像情報も上記誤り書き込みラインに対応する行に書き込む結果、偽画像情報と正規の画像情報とが合成された情報に基づき、上記誤り書き込みラインに対応する表示行の表示が行われて画質が大幅に劣化した画像が表示されてしまうという不具合が生じる。
【００５０】
一方、書込ドライバ用シフトレジスタ３の書き込み用画像情報は初期動作時にすべてが階調０の画像情報に設定されているため、初期動作後の通常動作時に書き込み用クロックＷＴが、予め定められた正規の回数以下のパルス入力しか実行されなかった場合でも、ランダムな画像情報でＰＤＰ１に対する書き込みが確実に回避され、階調０の画像情報がＰＤＰ１の一部に書き込まれる。
【００５１】
上記の場合、ＰＤＰ１には黒の縦じまが表示されてしまうが、ランダムな画像情報に基づき画像表示される場合に比べて、必要とする電力を最小限に抑え、電源や駆動回路の不要な発熱を確実に防ぐことができる。
【００５２】
また、ランダムな画像情報が非常に明るい階調を指示し全体が暗い画面の場合、ＰＤＰ１の前面パネル（ガラス）に不要なストレスを与える危険性があるが、その危険性も確実に防ぐことができる。
【００５３】
さらに、記憶素子６にＰＤＰ１に画像情報が完全に記憶された後、ゲート信号ＢＬＫを“Ｈ”にして記憶素子６からの画像情報を書込ドライバ用シフトレジスタ３にシフト入力しているため、不定データなどではなく記憶素子６に正しく記憶された画像情報がＰＤＰ１に書き込まれる。
【００５４】
そして、ステップＳ１２で、記憶素子６に格納された画像情報に基づく画像がＰＤＰ１に表示される。このとき、ステップＳ３で設定された電圧設定条件に基づき、高圧電源７から書込ドライバ２及びスキャンドライバ４等に高電圧が印加される。
【００５５】
ステップＳ１３で、同期信号ＳＹＮＣの確認を行い、同期信号ＳＹＮＣが未入力の場合はステップＳ１３から移行せず、同期信号ＳＹＮＣの入力が確認されると駆動系リセットＤＲＳＴを非活性状態にしてステップＳ９以降の処理に移行する。
【００５６】
以後、ステップＳ９〜Ｓ１３の処理が繰り返され、通常のシーケンス動作が引き続き実行される。
【００５７】
このように、実施の形態のプラズマディスプレイ装置の駆動方法は、ステップＳ５乃至Ｓ７の処理を初期動作時に行うことにより、ステップＳ１３の表示動作で画像が表示されＰＤＰ１上に無意味な表示が行われることを確実に回避することができる。
【００５８】
＜電圧設定条件の効果＞
図４はステップＳ３で設定した電圧設定条件に基づきステップＳ１１及びＳ１２で行う高電圧付与を実行することによる効果を示す説明図である。同図に示すように、書込ドライバ２の出力は消去期間中は約１００Ｖに設定する必要があり、書き込み期間中は約５０Ｖに設定する必要がある。また、スキャンドライバ４の出力は書き込み期間中に約−１５０Ｖ、維持期間中に約１５０Ｖに設定する必要がある。さらに、スキャンドライバ４の出力を受ける電極に対向する対向電極への対向ドライバの出力（図１では図示せず）は消去期間中に約３００Ｖ、維持期間中に約１５０Ｖに設定する必要がある。
【００５９】
上記高電圧の電圧条件設定を怠ると例えば以下に示すような不具合が生じる。
【００６０】
・維持期間におけるスキャンドライバ４の出力及び対向ドライバの出力をそれぞれ約１５０Ｖに設定しないと発光しない。
【００６１】
・書き込み期間中の書込ドライバ２の出力を約５０Ｖに設定し、スキャンドライバ４の出力を約−１５０Ｖに設定しないと正常な書き込みができない。
【００６２】
・消去期間中の書込ドライバ２の出力を約１００Ｖにし、対向ドライバの出力を約３００Ｖに設定しないと、前に書き込まれた情報を以降の書き込み動作で正確に更新できない。
【００６３】
・消去期間中の対向ドライバの出力を約３００Ｖに設定したにも関わらず書込ドライバ２の出力を約１００Ｖに設定しないと書込ドライバ２は自身の耐圧を越える高電圧を受けることになり、書込ドライバ２が破損する。
【００６４】
このような不具合を確実に解消するため、初期動作時のステップＳ３で高圧電源７に関する電圧条件設定を行っている。
【００６５】
【発明の効果】
請求項１記載のプラズマディスプレイ装置の駆動方法は、ステップ（ｅ１）に先立って行われるステップ（ａ）により、ステップ（ｅ１）で正規のスキャン情報がスキャン情報記憶手段に入力されるまでの期間、無意味な表示を行うことを防ぐことができる。
【００６６】
請求項２記載のプラズマディスプレイ装置の駆動方法は、ステップ（ｅ２）により、プラズマディスプレイ装置に正規の映像信号が入力されるまでの期間、無意味な表示を行うことを防ぐことができる
【００６７】
請求項３記載のプラズマディスプレイ装置の駆動方法は、ステップ（ｅ３）に先だっておこなわれるステップ（ｂ）により、プラズマディスプレイ装置に正規の映像信号が１画面分入力されるまでの期間、無意味な表示を行うことを防ぐことができる。
【００６８】
請求項４記載のプラズマディスプレイ装置の駆動方法は、ステップ（ｅ４）に先立って行われるステップ（ａ）により、プラズマディスプレイ装置に正規の映像信号が入力されるまでの期間、無意味な表示を行うことを防ぐことができる。
【００６９】
請求項５記載のプラズマディスプレイ装置の駆動方法は、ステップ（ｅ５）に先立って行われるステップ（ａ）及び（ｂ）により、プラズマディスプレイ装置に正規の映像信号が１画面分入力されるまでの期間、無意味な表示を行うことを防ぐことができる。
【００７０】
請求項６記載のプラズマディスプレイ装置の駆動方法は、請求項１の効果に加え、プラズマディスプレイ装置が正規表示を行うまでの期間、消費電力の増加を防ぐことができる。
【００７１】
請求項７記載のプラズマディスプレイ装置の駆動方法は、請求項２または請求項３の効果に加え、プラズマディスプレイ装置が正規表示を行うまでの期間、消費電力の増加を防ぐことができる。
【００７２】
請求項８記載のプラズマディスプレイ装置の駆動方法は、請求項４または請求項５の効果に加え、プラズマディスプレイ装置が正規表示を行うまでの期間、消費電力の増加を防ぐことができる。
【００７３】
請求項９記載のプラズマディスプレイ装置の駆動方法は、ステップ（ｅ１）に先だってステップ（ｄ１）を行うことにより、プラズマディスプレイ装置の消去動作や書込動作および表示動作を確実におこなわせ、無意味な表示を行うことを防ぐことができる。
【００７４】
請求項１０記載のプラズマディスプレイ装置の駆動方法は、ステップ（ｅ２）またはステップ（ｅ３）に先だってステップ（ｄ２）を行うことにより、プラズマディスプレイ装置の消去動作や書込動作および表示動作を確実におこなわせ、無意味な表示を行うことを防ぐことができる。
【００７５】
請求項１１記載のプラズマディスプレイ装置の駆動方法は、ステップ（ｅ４）またはステップ（ｅ５）に先だってステップ（ｄ３）を行うことにより、プラズマディスプレイ装置の消去動作や書込動作および表示動作を確実に行わせ、無意味な表示を行うことを防ぐことができる。
【００７６】
請求項１２記載のプラズマディスプレイ装置の駆動方法は、正常な映像信号の画像情報を一時記憶手段に記憶させることにより、無意味な表示を行うことを防ぐことができる。
【図面の簡単な説明】
【図１】  実施の形態のＰＤＰ装置の駆動方法で用いられるＰＤＰ装置の構成を示すブロック図である。
【図２】  この発明の実施の形態であるＰＤＰ装置の駆動方法を示すフローチャートである。
【図３】  この発明の実施の形態であるＰＤＰ装置の駆動方法を示すタイミング図である。
【図４】  実施の形態の効果説明用の説明図である。
【符号の説明】
１  ＰＤＰ、２  書込ドライバ、３  書込ドライバ用シフトレジスタ、４  スキャンドライバ、５  スキャンドライバ用シフトレジスタ、６  記憶素子、７  高圧電源、１０制御回路、１１  制御用低圧電源。
【手続補正２】
【補正対象書類名】図面
【補正対象項目名】図２
【補正方法】変更
【補正の内容】
【図２】
1999282417.tif 000001
【手続補正３】
【補正対象書類名】図面
【補正対象項目名】図３
【補正方法】変更
【補正の内容】
【図３】
1999282417.tif 000002